(57)【特許請求の範囲】
【請求項１】
被止水部との間に装着され貫通する締め付け部材を介して固定される押え部材で押し付けて固定される止水部材であって、
前記止水部材を、止水部材本体と、前記止水部材本体に取り付けられる止水線部材とで構成し、
前記止水線部材は、前記押え部材の前記締め付け部材を挟む両側に沿って配置される基材と、前記基材の表面および裏面から突き出して前記被止水部に当てられて止水する１条乃至複数条の止水線部とを備える、
ことを特徴とする止水部材。
【請求項２】
被止水部との間に装着され貫通する締め付け部材を介して外側で固定される押え部材で押し付けて固定される止水部材であって、
前記止水部材を、止水部材本体と、前記止水部材本体に取り付けられる止水線部材とで構成し、
前記止水線部材は、前記締め付け部材の内側の押え部材に沿って流体などの圧力が加わる上流側と下流側に配置される基材と、前記基材の表面および裏面から突き出して前記被止水部に当てられて止水する１条乃至複数条の止水線部とを備える、
ことを特徴とする止水部材。
【請求項３】
前記止水線部材は、前記基材を介して前記止水部材本体に押し付けて固定される、
ことを特徴とする請求項１または２に記載の止水部材。
【請求項４】
被止水部と貫通する締め付け部材を介して固定される押え部材との間に装着され押し付けて固定される止水部材の取付構造であって、
前記止水部材を、止水部材本体と、前記止水部材本体に取り付けられる止水線部材とで構成し、
前記止水線部材は、前記押え部材の前記締め付け部材を挟む両側に沿って配置される基材と、前記基材の表面および裏面から突き出して前記被止水部に当てられて止水する１条乃至複数条の止水線部とを備えて構成され、
前記止水部材本体に前記止水線部材を複数列取り付けて構成した、
ことを特徴とする止水部材の取付構造。
【請求項５】
被止水部と貫通する締め付け部材を介して外側で固定される押え部材との間に装着され押し付けて固定される止水部材の取付構造であって、
前記止水部材を、止水部材本体と、前記止水部材本体に取り付けられる止水線部材とで構成し、
前記止水線部材は、前記締め付け部材の内側の押え部材に沿って流体などの圧力が加わる上流側と下流側に配置される基材と、前記基材の表面および裏面から突き出して前記被止水部に当てられて止水する１条乃至複数条の止水線部とを備えて構成され、
前記止水部材本体に前記止水線部材を複数列取り付けて構成した、
ことを特徴とする止水部材の取付構造。
【請求項６】
前記複数列の止水線部材を、厚みを変えて取り付けて構成した、
ことを特徴とする請求項４または５に記載の止水部材の取付構造。
【請求項７】
前記押え部材は、前記止水線部材の両側に突き出して前記止水部材本体を押圧する押圧部を備える、
ことを特徴とする請求項４乃至６のいずれかに記載の止水部材の取付構造。
【発明の詳細な説明】
【技術分野】
【０００１】
本発明は、止水部材およびその取付構造に関する。
【背景技術】
【０００２】
水道管や各種送水管などの接続部分や、生活用水や工業用水等を貯水する貯水池や浄水池、あるいは上下水道の水路などを構成する大型のコンクリート構造体等の目地部分、ケーソンやコンクリートブロックなどを並べた護岸壁などの土木構造物の目地部分には、ゴムなどの弾性材を用いた止水部材が接続部分や目地部分を跨ぐように取り付けることが一般的に行われている。
これにより、止水および構造物などの不当沈下、地震時および温度変化などに起因する変位を許容するようにしている。
【０００３】
また、止水性を確保する必要がある止水部材として、水道橋および管廊内などの既設の可撓管を補強し、万一の場合の止水性を確保するための伸縮カバーがある。伸縮カバーは、既設の可撓管の両側に設けられた管路の固定具にボルト・ナットで取り付けられ、可撓管の外側を水密状態で覆っている。これにより、万一、可撓管が破損しても伸縮カバーによって止水性を確保するようにしている。
【０００４】
このような止水部材として、例えば特許文献１に開示された目地材があり、弾性材の目地材の中程に余長部を形成し、両側に係止部を形成して構成される。コンクリート構造物の目地部に形成した凹部に、目地材の余長部を納め、両側の係止部をコンクリート構造物に埋設したアンカーボルトと押え部材を介して取り付けている。
【０００５】
また、特許文献２に開示された可撓止水部材では、両側の碇着部を直接アンカーボルトで固定せず、アンカーボルトの中間部が支持固定される固定部材の先端部で押え部材を押さえるようにして取り付けている。これにより、可撓止水部材を予め製作でき、アンカーボルトの位置によらず、取り付けることができるようにしている。
【０００６】
また、特許文献３に開示された伸縮カバーは、水道橋および管廊内などの既設の可撓管の両側の管路の固定具に、押え部材を介してボルト・ナットで取り付けられている。これにより、万一、可撓管が破損しても伸縮カバーによって止水性を確保している。
【先行技術文献】
【特許文献】
【０００７】
【特許文献１】特開２０００−０６４４４６号公報
【特許文献２】特開２００８−２８０７４８号公報
【特許文献３】特開２００８−２３２３４８号公報
【発明の概要】
【発明が解決しようとする課題】
【０００８】
このような目地材、可撓止水部材や伸縮カバーとしての止水部材では、構造物表面との接触圧力を高めて止水性を向上するため、係止部や碇着部などの端部に突条を設けて止水線部としたものがある。
ところが、止水部材として止水線部がないものに、止水線部を設けようとすると、一体成形用の金型などの製造設備の改造が必要となるという問題がある。
また、止水線部が設けられている止水部材では、使用場所などの要求から止水線部の本数や横断面形状の変更を行う場合にも金型などの製造設備の変更が必要となるという問題がある。
【０００９】
本発明は、上記従来技術の問題点に鑑みてなされたもので、製造設備の変更を必要とせず、止水線部を備えた止水部材や止水線部の変更が容易にできる止水部材およびその取付構造を提供することを目的とするものである。
【課題を解決するための手段】
【００１０】
上記目的を達成するため、本発明の第１の観点にかかる止水部材は、
被止水部との間に装着され貫通する締め付け部材を介して固定される押え部材で押し付けて固定される止水部材であって、
前記止水部材を、止水部材本体と、前記止水部材本体に取り付けられる止水線部材とで構成し、
前記止水線部材は、前記押え部材の前記締め付け部材を挟む両側に沿って配置される基材と、前記基材の表面および裏面から突き出して前記被止水部に当てられて止水する１条乃至複数条の止水線部とを備える、
ことを特徴とする。
本発明の第２の観点にかかる止水部材は、
被止水部との間に装着され貫通する締め付け部材を介して外側で固定される押え部材で押し付けて固定される止水部材であって、
前記止水部材を、止水部材本体と、前記止水部材本体に取り付けられる止水線部材とで構成し、
前記止水線部材は、前記締め付け部材の内側の押え部材に沿って流体などの圧力が加わる上流側と下流側に配置される基材と、前記基材の表面および裏面から突き出して前記被止水部に当てられて止水する１条乃至複数条の止水線部とを備える、
ことを特徴とする。
【００１２】
前記止水線部材は、前記基材を介して前記止水部材本体に押し付けて固定されるようにしても良い。
【００１３】
また、上記目的を達成するため、本発明の第３の観点にかかる止水部材の取付構造は、
被止水部と貫通する締め付け部材を介して固定される押え部材との間に装着され押し付けて固定される止水部材の取付構造であって、
前記止水部材を、止水部材本体と、前記止水部材本体に取り付けられる止水線部材とで構成し、
前記止水線部材は、前記押え部材の前記締め付け部材を挟む両側に沿って配置される基材と、前記基材の表面および裏面から突き出して前記被止水部に当てられて止水する１条乃至複数条の止水線部とを備えて構成され、
前記止水部材本体に前記止水線部材を複数列取り付けて構成した、
ことを特徴とする。
本発明の第４の観点にかかる止水部材の取付構造は、
被止水部と貫通する締め付け部材を介して外側で固定される押え部材との間に装着され押し付けて固定される止水部材の取付構造であって、
前記止水部材を、止水部材本体と、前記止水部材本体に取り付けられる止水線部材とで構成し、
前記止水線部材は、前記締め付け部材の内側の押え部材に沿って流体などの圧力が加わる上流側と下流側に配置される基材と、前記基材の表面および裏面から突き出して前記被止水部に当てられて止水する１条乃至複数条の止水線部とを備えて構成され、
前記止水部材本体に前記止水線部材を複数列取り付けて構成した、
ことを特徴とする。
【００１４】
前記複数列の止水線部材を、厚みを変えて取り付けて構成したり、前記押え部材は、前記止水線部材の両側に突き出して前記止水部材本体を押圧する押圧部を備えるようにしても良い。
【発明の効果】
【００１５】
本発明によれば、製造設備の変更を必要とせず、止水線部を備えた止水部材や止水線部の変更が容易にできる止水部材およびその取付構造を提供することができる。
【図面の簡単な説明】
【００１６】
【図１】本発明の止水部材およびその取付構造を既設可撓管の外面補強構造に適用した場合の一実施の形態にかかる縦断面図および部分拡大断面図である。
【図２】本発明の止水部材およびその取付構造の他の一実施の形態にかかる部分拡大断面図である。
【図３】本発明の止水部材およびその取付構造のさらに他の一実施の形態にかかる部分拡大断面図である。
【図４】本発明の止水部材およびその取付構造の一実施の形態にかかるそれぞれが止水線部材の部分拡大断面図である。
【図５】本発明の止水部材およびその取付構造の他の一実施の形態にかかるそれぞれが止水線部材の部分拡大断面図である。
【発明を実施するための形態】
【００１７】
以下、本発明の止水部材およびその取付構造の実施の形態について図面を参照して詳細に説明する。
本実施の形態では、既設の可撓管Ｆが万一、破損した場合でも止水性を確保するための既設可撓管の外面補強構造１に用いる止水部材１０を例に説明する。
【００１８】
既設可撓管の外面補強構造１は、図１に示すように、可撓管Ｆを挟む管路Ｄ，Ｄの外周に相対向して取付台部材２，２が配置され、取付台部材２，２が管路Ｄ，Ｄに対して水密状態で固定される。止水部材１０は、相対向する１対の取付台部材２，２の間を跨ぐように取り付けられる。
取付台部材２は、横断面形状が略Ｌの字状とされてＬの字の水平部分２ａが軸方向と平行に配置されて環状とされ、水平部分２ａに止水部材１０が取り付けられる。取付台部材２のＬの字の垂直部分２ｂが管軸と直交する平面上に配置されて管路Ｄの外周と溶接され水密状態で固定される。
また、取付台部材２は、管路Ｄ，Ｄへの取り付けのため円周方向に複数、例えば４分割され、管路Ｄに取り付けた後、現地での溶接によって環状に連結される。取付台部材２には、補強用のリブ３が円周等間隔に溶接によって取り付けられ、環状に連結する部分では、リブ３同士を当てて図示しないボルト・ナットで締め付けるとともに、溶接して環状に連結される。
リブ３の管路Ｄとの溶接部分には、リブ補強板４が当てられて取付台部材２を管路Ｄに強固に取り付けてある。
取付台部材２には、止水部材１０の端部が水平部分２ａの外周側に当てられ、円周方向に分割された押え部材１１を介してボルト・ナット１２によって締め付けて取り付けられる。押え部材１１は、例えば、円周方向に３０個に分割されたものが用いられ、それぞれの押え部材１１は、２本ずつのボルト・ナット１２で取り付けるようにしている。
【００１９】
１対の取付台部材２を跨ぐように取り付けた止水部材１０の外側には、止水部材１０との間に隙間を空けて金属製の外筒部材５が環状に設けられる。止水部材１０と外筒部材５との隙間で止水部材１０の伸びが許容される。また、止水部材１０は、伸び変形後には、外筒部材５の内周面と密着することで、加わる圧力が外筒部材５で支持される。
これにより、止水部材１０自体は伸び強度は必要とするものの大きな耐圧強度を必要としない構造としてある。
【００２０】
外筒部材５は、管路Ｄへの取り付けのため円周方向に複数に分割されるとともに、軸方向にも複数に分割してある。外筒部材５は、例えば、円周方向に４分割され、軸方向には３分割され、現地にてフランジ５ａ，５ａをボルト・ナット６で組み立てた後、溶接される。
【００２１】
このような既設可撓管の外面補強構造１では、分割設置可能な取付台部材２を、可撓管Ｆを挟んで対向して管路Ｄ，Ｄに溶接で固定設置し、これら取付台部材２，２の間に可撓性の止水部材１０を環状に配置して押え部材１１を介して取り付け、止水部材１０の伸びを許容する隙間をあけて外筒部材５を設けてあるので、万一、可撓管Ｆが破損した場合であっても、取付台部材２および止水部材１０で漏水を防止することができる。
また、既設の可撓管Ｆが破損した場合には、止水部材１０の内側に大きな圧力が作用して止水部材１０が変形し、外筒部材５に接するまで伸ばされることになるが、外筒部材５に接するまでの伸びは、設計時に許容されている伸び変形であり、この変形後には、止水部材１０が外筒部材５の内周面に密着することで、その後の加圧力が止水部材１０を介して外筒部材５で規制・支持されることになる。
これにより、止水部材１０の伸びを外筒部材５で規制・支持することで、止水部材１０に大きな内圧が作用することがなく、外筒部材５で止水部材１０の局部変形を防止して水密状態を維持することができる。
【００２２】
次に、本発明の止水部材１０は、シート状のゴム、合成樹脂などの止水ゴムが用いられ、高水圧下での変形時に局部変形（局部伸び）が生じないように繊維補強がなされており、例えば、補強布を２層積層したものが用いられる。
止水部材１０は、止水部材本体１００と、止水部材本体１００に取り付けられる止水線部材１１０とで構成される。止水線部材１１０は、基材１１１と、基材１１１から突き出して被止水部である取付台部材２の水平部分２ａに当てられて止水する１条乃至複数条の止水線部１１２とを備えて構成される。
すなわち、止水部材１０は、止水部材本体１００と止水線部材１１０とが別体として構成され、止水線部材１１０が止水部材本体１００に接着などで取り付けられて一体とされる。
【００２３】
止水部材本体１００は、被止水部である取付台部材２への取付部となる両端部に止水線部材１１０が配置される。止水線部材１１０は、例えば、図１（ｂ）に示すように、締め付け用のボルト・ナット１２を挟む両側にそれぞれ止水線部材１１０が配置されて２列の止水線部材１１０，１１０が接着剤などで取り付けられる。
止水線部材１１０は、平板状の基材１１１と、基材１１１の被止水部側の表面（図示例では、下面）に、被止水部側に突き出した突条の止水線部１１２が１条乃至複数条、例えば、図１（ｂ）では、横断面形状が半円状とされた２条の止水線部１１２が基材１１１と一体に設けてある。
止水線部材１１０は、止水部材本体１００と同一又は異なる材質のゴム、合成樹脂などの止水ゴムで作ることができ、例えば、止水部材本体１００よりも膨張性の高い材質とすることで、止水線部材１１０に膨張性を付加することができる。
【００２４】
このような止水部材１０では、止水部材本体１００は、金型成形などで作られる。止水線部材１１０は、基材１１１と止水線部１１２とが一体とされて、例えば押し出し成形などで作られる。止水部材本体１００に基材１１１を介して止水線部材１１０を接着などで取り付けて止水部材１０が構成される。
【００２５】
止水部材１０では、止水部材本体１００に止水線部材１１０を接着などで取り付ける必要があり、止水線部１１２だけでは、図５（ａ）に示すように、接着面積が小さく、接着強度の確保が難しくなる。
しかし、止水線部材１１０では、基材１１１に止水線部１１２を一体に形成し、基材１１１を介して止水部材本体１００に接着するので、図５（ｂ）や同図（ｃ）に示すように、基材１１１の大きさ（幅）を変えることで接着面積を容易に確保することができる。これにより、止水部材本体１００と止水線部材１１０との必要な接着強度を確保することができる。
また、止水部材１０では、止水線部材１１０の基材１１１の幅が同一であっても、図５（ｄ）に示すように、基材１１１の止水部材本体１００との接着側の表面に、凹部１１１ａを設けて接着面の表面積を増やしたり、同図（ｅ）に示すように、凸部１１１ｂを設けて接着面の表面積を増やすようにしても良い。さらに、基材１１１の止水部材本体１００との接着側の表面に、同図（ｆ）に示すように、凹部１１１ａと、凸部１１１ｂとを設けて接着面の表面積を増やすようにしても良い。
このような止水部材１０とすることで、止水部材本体１００と止水線部材１１０とをセパレート化することにより新たな問題となる接着強度の確保が容易となる。
なお、接着強度の確保のために基材１１１に形成する凹部１１１ａや凸部１１１ｂは、その本数や横断面形状は、図示例のものに限らず、適宜設定すれば良い。
【００２６】
止水部材１０では、止水線部材１１０の基材１１１に形成する止水線部１１２を、横断面形状を半円状として２条形成する場合を例に説明したが、図４（ａ）に示すように、止水線部１１２ａを、横断面形状を１つの円弧状として１条形成するようにしても良い。
また、止水線部１１２ｂを、図４（ｂ）に示すように、横断面形状を台形状として、２条あるいは１条として形成することもできる。
さらに、止水線部１１２ｃを、図４（ｃ）に示すように、横断面形状を三角形状として、２条あるいは１条として形成することもでき、止水線部１１２ｄを、図４（ｄ）に示すように、横断面形状を矩形状として、２条あるいは１条として形成することもできる。
また、止水線部１１２は、２条に限らず、さらに多数状形成するようにしても良い。
【００２７】
このような止水部材１０は、止水線部材１１０の止水線部１１２を被止水部である取付台部材２に当てるようにし、押え部材１１を介してボルト・ナット１２で締め付けて取り付けられる。これにより、止水線部１１２の突条部分が押し付けられることで押圧力が高まり、止水性を高めて取り付けることができる。
【００２８】
このような止水部材１０によれば、止水部材本体１００と止水線部材１１０とをセパレートとして貼り付けなどで一体化するようにしたので、止水線部材１１０に設ける止水線部１１２の本数の増減などの変更が、金型などの設備の大幅な変更を必要とせずに行うことができる。
また、止水線部１１２が付いていない止水部材に対しても、別に製造した止水線部材１１０によって簡単に止水線部１１２を設けることができる。
さらに、止水部材本体１００と止水線部材１１０との材質を変更することができ、止水線部材１１０に膨張性などを付加することが簡単にできる。
また、止水線部材１１０の止水線部１１２の高さや本数を容易に変えることができ、耐圧性を調整することができる。
また、止水線部材１１０の止水部材本体１００への取り付け位置を任意に変えることができる。
【００２９】
なお、上記の実施の形態では、止水線部１１２を基材１１１の被止水部側にのみ設けるようにしたが、基材１１１の止水部材本体１００側にも止水線部１１２を設け、基材１１１を止水部材本体１００に接着せずに押しつけて止水するようにしても良い。こうすることで、止水部材１０を加硫接着などで環状にする場合の加熱の影響が接着剤に及ばず、施工を容易にすることができる。
【００３０】
また、上記実施の形態では、止水部材１０として既設可撓管の外面補強構造１に用いる場合を例に説明したが、止水部材１０の中間部に余長部を設けて大きな変位を許容できるようにするなど、被止水部への取付部分以外の構成は何ら限定するものではなく、止水部材の設置すべき構造物などに応じて適宜決定すれば良い。
【００３１】
次に、本発明の止水部材の取付構造の実施の形態について、具体的に説明する。
本実施の形態の止水部材の取付構造２０では、既に説明した止水部材１０が用いられる。
止水部材の取付構造２０では、図１（ｂ）に示すように、止水部材１０の止水部材本体１００に接着などで取り付けた２列の止水線部材１１０を押さえる押え部材１１に、押圧部１１ａ，１１ｂがボルト・ナット１２を挟む両側に設けて構成される。
止水部材１０の流体などの圧力が加わる上流側の押圧部１１ａは、幅が広く形成してあり、押圧面積が大きくなるようにしてある。一方、流体の圧力が加わる下流側の押圧部１１ｂは、上流側に比べ幅が狭くなっている。そして、２つの押圧部１１ａ，１１ｂの間隔が２列の止水線部材１１０，１１０の外側を押圧できるように設定してある。
なお、押え部材１１の形状は、要求止水圧力に応じて変えることができる。例えば、要求止水圧力が低い場合は、押え部材１１に押圧部を形成せず断面形状を矩形としたものなどであっても良い。
【００３２】
このような止水部材の取付構造２０では、止水部材本体１００に接着などで取り付けた２列の止水線部材１１０を備えた止水部材１０を、被止水部である取付台部材２に当てるようにし、押え部材１１を介してボルト・ナット１２で締め付けるようにする。
すると、押え部材１１によって２列の止水線部材１１０が被止水部である取付台部材２に押し付けられて止水線部１１２によって止水性が確保される。
さらに、押え部材１１の両側の押圧部１１ａ，１１ｂが２列の止水線部材１１０の外側に位置することから、２列の止水線部材１１０，１１０の外側が押圧部１１ａ，１１ｂで一層強固に締め付けられ、止水線部材１１０が外側に変形することを防止して、一層確実に止水することができる。
【００３３】
次に、止水部材の取付構造の他の実施の形態について、図２により説明する。
この止水部材の取付構造２０Ａでは、２列の止水線部材１１０，１１０Ａのうち、流体などの圧力が加わる上流側の止水線部材１１０に対し、下流側の止水線部材１１０Ａの厚さが厚くしてある。すなわち、この止水部材の取付構造２０Ａでは、止水部材本体１００に接着などで取り付けた２列の止水線部材１１０，１１０Ａを備えた止水部材１０，１０を、被止水部である取付台部材２に当てるようにし、押え部材１１を介してボルト・ナット１２で締め付けると、止水線部材１１０Ａの厚さによって、圧力が加わる上流側に傾くように押え部材１１が締め付けられる。
これにより、止水部材１０に流体などの圧力が上流側から作用して押え部材１１を押し上げようとしても下流側の厚い止水線部材１１０Ａによって回動が抑えられ、締め付け状態を保持することができ、耐圧性を高めて止水することができる。
【００３４】
次に、止水部材の取付構造のさらに他の実施の形態について、図３により説明する。
この止水部材の取付構造２０Ｂでは、止水部材１０を押さえる押え部材１１Ａの構成が異なるものであり、２列の止水線部材１１０，１１０の間に配置されるボルト・ナット１２で締め付けるのではなく、２列の止水線部材１１０，１１０の外側で締め付けるようにしたものである。こうすることで、止水部材１０にボルトを挿通するための孔加工が必要なく、止水部材１０の製造が容易となる。
すなわち、この止水部材の取付構造２０Ｂでは、押え部材１１Ａは、ボルト・ナット１２で締め付ける取付孔部１１ｃから側方に突き出して押え部１１ｄが一体に形成されている。取付孔部１１ｃと押え部１１ｄとの段差部の高さ、すなわち、押え部１１ｄの下面からの取付孔部１１ｃの突き出し量が、押え部材１１Ａを締め付けた場合に、止水部材１０の止水線部材１１０を所定の押し付け力で押し付けることができるように設定してある。また、押え部１１ｄの突き出し長さは、止水部材１０を被止水部である取付台部材２に固定するのに必要な長さとしてある。
この止水部材の取付構造２０Ｂでは、止水部材本体１００に接着などで取り付けた２列の止水線部材１１０を備えた止水部材１０を、被止水部である取付台部材２に当てるようにし、押え部材１１Ａの押え部１１ｄを止水部材１０に当て、取付孔部１１ｃを介してボルト・ナット１２で締め付けるようにする。
すると、押え部材１１Ａによって２列の止水線部材１１０，１１０が被止水部である取付台部材２に押し付けられて止水線部１１２，１１２によって止水性が確保される。
さらに、押え部材１１Ａの取付孔部１１ｃが２列の止水線部材１１０の外側に位置することから、止水部材１０にボルト・ナット１２用の孔加工を施す必要がなく、止水部材１０の製造が容易となる。特に、補修用の止水部材１０として用いる場合には、アンカーボルトの位置に応じて取付孔を加工する必要がなく、一層施工性に優れる。
【００３５】
以上、実施の形態とともに、具体的に説明したように、止水部材の取付構造２０によれば、被止水部である取付台部材２と押え部材１１との間に装着され押し付けて固定される止水部材の取付構造２０で、止水部材１０を、止水部材本体１００と、止水部材本体１００に取り付けられる止水線部材１１０とで構成し、止水線部材１１０は、基材１１１と、基材１１１から突き出して被止水部である取付台部材２に当てられて止水する１条乃至複数条の止水線部１１２とを備えて構成され、止水部材本体１００に止水線部材１１０を複数列取り付けて構成したので、止水部材１０が止水線部１１２を備える複数列の止水線部材１１０と止水部材本体１００とのセパレート構造であっても、押え部材１１を介してボルト・ナット１２で確実に締め付けて止水性を確保することができる。
【００３６】
また、止水部材の取付構造２０Ａによれば、複数列の止水線部材１１０を、厚みを変えて取り付けて構成したので、止水部材１０に流体などの圧力が作用しても厚みの厚い止水線部材１１０で押え部材１１が押し上げられることを防止し止水状態を保持することができる。
【００３７】
さらに、止水部材の取付構造２０，２０Ａによれば、押え部材１１は、止水線部材１１０の両側に突き出して止水部材本体１００を押圧する押圧部１１ａ，１１ｂを備えるので、押圧部１１ａ，１１ｂによって一層確実に止水線部材１１０を押し付けることができ、止水性を高めることができる。
【００３８】
なお、上記の実施の形態では、既設可撓管の外面を補強する止水部材およびその取付構造を例に説明したが、止水の必要な部分に用いる止水部材やその取付構造として広く適用することができる。
【符号の説明】
【００３９】
１０      止水部材
１１      押え部材
１１Ａ    押え部材
１１ａ    押圧部
１１ｂ    押圧部
１１ｃ    取付孔部
１１ｄ    押え部
１２      ボルト・ナット
１００    止水部材本体
１１０    止水線部材
１１０Ａ  止水線部材
１１１    基材
１１１ａ  凹部
１１１ｂ  凸部
１１２    止水線部
１１２ａ  止水線部
１１２ｂ  止水線部
１１２ｃ  止水線部
１１２ｄ  止水線部
２０      止水部材の取付構造
２０Ａ    止水部材の取付構造
２０Ｂ    止水部材の取付構造
【図１】
0006570820.tif 000002
【図２】
0006570820.tif 000003
【図３】
0006570820.tif 000004
【図４】
0006570820.tif 000005
【図５】
0006570820.tif 000006